(57)【特許請求の範囲】
【請求項１】
駆動信号によって被検体に向けて送信超音波を出力するとともに、被検体からの反射超音波を受信することにより受信信号を出力する複数の振動子と、前記複数の振動子毎に得られた受信信号からそれぞれ第１のサンプリング周波数でサンプリングして第１のサンプリングデータを生成する第１のサンプリング部と、前記第１のサンプリング部によって得られた第１のサンプリングデータを整相加算して音線データを得る整相加算部と、前記整相加算部によって得られた前記音線データから包絡線を検波する包絡線検波部と、前記包絡線検波部によって検波された包絡線から第２のサンプリング周波数でサンプリングして第２のサンプリングデータを得る第２のサンプリング部と、前記第２のサンプリング部によって得られた第２のサンプリングデータを送信するデータ送信部と、を有する超音波探触子と、
前記超音波探触子から送信された前記第２のサンプリングデータを受信し、該受信した第２のサンプリングデータに基づいて超音波診断画像を表示するための画像データを生成する装置本体と、
を備えたことを特徴とする超音波診断装置。
【請求項２】
前記第２のサンプリング周波数を、前記第１のサンプリング周波数よりも低い周波数としたことを特徴とする請求項１に記載の超音波診断装置。
【請求項３】
前記超音波探触子は、前記第１のサンプリング部によって得られた第１のサンプリングデータを前記第１のサンプリング周波数よりも高い第３のサンプリング周波数でオーバーサンプリングした第３のサンプリングデータを生成する第３のサンプリング部を有し、
前記整相加算部は、前記第３のサンプリング部によって得られた第３のサンプリングデータを整相加算して音線データを得ることを特徴とする請求項１又は２に記載の超音波診断装置。
【請求項４】
前記第２のサンプリング周波数を、前記第３のサンプリング周波数よりも低い周波数としたことを特徴とする請求項３に記載の超音波診断装置。
【請求項５】
前記振動子により得られる受信信号は、前記送信超音波の高調波成分を含む請求項１〜４の何れか一項に記載の超音波診断装置。
【請求項６】
前記データ送信部は、無線伝送により前記第２のサンプリングデータを送信することを特徴とする請求項１〜５の何れか一項に記載の超音波診断装置。
【発明の詳細な説明】
【技術分野】
【０００１】
本発明は、超音波診断装置に関する。
【背景技術】
【０００２】
従来、超音波探触子で得られた超音波データ等を装置本体へ無線伝送するワイヤレス型の超音波診断装置が知られている。
【０００３】
このような超音波診断装置には、例えば、複数の振動子が１次元あるいは２次元のアレイ状に配列された超音波探触子を用いて、超音波の送受信の際に電子フォーカスを行いながらスキャンを行うものがある。
【０００４】
ワイヤレス型の超音波診断装置においては、超音波診断画像をリアルタイムに表示するため、超音波探触子で得られた超音波の受信信号を超音波データにＡ／Ｄ変換し、これをリアルタイムで装置本体に無線伝送する必要がある。
ところが、従来の超音波診断装置は、図６に示すように、振動子１２０４毎の超音波の受信信号をＡＤＣ１２０５によってＡ／Ｄ変換した後、超音波探触子１００２から超音波診断装置本体１００１に無線伝送する構成であったため、例えば、振動子が１９２個である超音波探触子を用い、振動子１個あたりのＡ／Ｄ変換後の超音波データのデータサイズが１４bitで、超音波データのサンプリング周波数を６０MHzとした超音波診断装置の場合、このようなデータをリアルタイムで無線伝送するには、データ転送レートを１９２×１４×６０×１０６＝１６１．２８Gbps以上としなければならなかった。
【０００５】
このような問題に鑑み、従来の超音波診断装置において、超音波探触子の操作性を考慮しつつ、データ転送レートを低減させるため、超音波探触子に、直交検波回路を振動子毎に対応して設けるようにしたものがある（例えば、特許文献１）。この超音波診断装置は、Ａ／Ｄ変換後の超音波データを直交検波回路に入力して包絡線抽出を行い、包絡線の抽出された振動子毎の超音波データを装置本体にシリアル伝送するものである。これにより、包絡線抽出の結果、例えば、１／８程度にデータ転送レートを低減させることができるようになったとすると、上記１６１．２６Gbps以上のデータ転送レートが必要だったものが、２０．１６Gbps程度となる。
【先行技術文献】
【特許文献】
【０００６】
【特許文献１】特開２０１０−１１５３５６号公報
【発明の概要】
【発明が解決しようとする課題】
【０００７】
しかしながら、上記特許文献１に記載の超音波診断装置では、振動子毎の超音波データを伝送することから、データ転送レートの低減にも限界があり、飛躍的な効果は望まれない。また、超音波画像を高解像度化させるために振動子の数を増加させた場合には、それに比例して必要なデータ転送レートも大きくなってしまう。さらに、この超音波診断装置は、振動子毎に対応して直交検波回路を設ける構成であることから、振動子の数が増加すると、これに比例して直交検波回路を設ける必要があり、却って装置が大型化し、操作性の低下を招いてしまう。一方で、近年では、受信フォーカス処理を行うための回路の小型化も進んでおり、データ転送レートの低減のため、利用が望まれている。
【０００８】
本発明の課題は、装置の大型化を抑制しつつ、データ転送レートの低減を図ることができる超音波診断装置を提供することである。
【課題を解決するための手段】
【０００９】
以上の課題を解決するため、請求項１に記載の発明は、超音波診断装置において、
駆動信号によって被検体に向けて送信超音波を出力するとともに、被検体からの反射超音波を受信することにより受信信号を出力する複数の振動子と、前記複数の振動子毎に得られた受信信号からそれぞれ第１のサンプリング周波数でサンプリングして第１のサンプリングデータを生成する第１のサンプリング部と、前記第１のサンプリング部によって得られた第１のサンプリングデータを整相加算して音線データを得る整相加算部と、前記整相加算部によって得られた前記音線データから包絡線を検波する包絡線検波部と、前記包絡線検波部によって検波された包絡線から第２のサンプリング周波数でサンプリングして第２のサンプリングデータを得る第２のサンプリング部と、前記第２のサンプリング部によって得られた第２のサンプリングデータを送信するデータ送信部と、を有する超音波探触子と、
前記超音波探触子から送信された前記第２のサンプリングデータを受信し、該受信した第２のサンプリングデータに基づいて超音波診断画像を表示するための画像データを生成する装置本体と、
を備えたことを特徴とする。
【００１０】
請求項２に記載の発明は、請求項１に記載の超音波診断装置において、
前記第２のサンプリング周波数を、前記第１のサンプリング周波数よりも低い周波数としたことを特徴とする。
【００１１】
請求項３に記載の発明は、請求項１又は２に記載の超音波診断装置において、
前記超音波探触子は、前記第１のサンプリング部によって得られた第１のサンプリングデータを前記第１のサンプリング周波数よりも高い第３のサンプリング周波数でオーバーサンプリングした第３のサンプリングデータを生成する第３のサンプリング部を有し、
前記整相加算部は、前記第３のサンプリング部によって得られた第３のサンプリングデータを整相加算して音線データを得ることを特徴とする。
【００１２】
請求項４に記載の発明は、請求項３に記載の超音波診断装置において、
前記第２のサンプリング周波数を、前記第３のサンプリング周波数よりも低い周波数としたことを特徴とする。
【００１３】
請求項５に記載の発明は、請求項１〜４の何れか一項に記載の超音波診断装置において、
前記振動子により得られる受信信号は、前記送信超音波の高調波成分を含む。
【００１４】
請求項６に記載の発明は、請求項１〜５の何れか一項に記載の超音波診断装置において、
前記データ送信部は、無線伝送により前記第２のサンプリングデータを送信することを特徴とする。
【発明の効果】
【００１５】
本発明によれば、装置の大型化を抑制しつつ、データ転送レートの低減を図ることができる。
【図面の簡単な説明】
【００１６】
【図１】第１の実施の形態における超音波診断装置の外観構成を示す図である。
【図２】超音波探触子の概略構成を示すブロック図である。
【図３】包絡線データについて説明する図である。
【図４】超音波診断装置本体の概略構成を示すブロック図である。
【図５】第２の実施の形態における超音波探触子の概略構成を示すブロック図である。
【図６】従来の超音波診断装置の概略構成を示すブロック図である。
【発明を実施するための形態】
【００１７】
以下、本発明の実施の形態に係る超音波診断装置について、図面を参照して説明する。ただし、発明の範囲は図示例に限定されない。なお、以下の説明において、同一の機能及び構成を有するものについては、同一の符号を付し、その説明を省略する。
【００１８】
（第１の実施の形態）
本発明の第１の実施の形態に係る超音波診断装置Ｓは、図１に示すように、超音波診断装置本体１と超音波探触子２とを備えている。超音波探触子２は、図示しない生体等の被検体に対して超音波（送信超音波）を送信するとともに、この被検体で反射した超音波の反射波（反射超音波：エコー）を受信する。超音波探触子２は、超音波診断装置本体１と無線によるデータの送受信が可能に構成されている。なお、無線通信の方式は既知の何れのものも採用可能であるが、本実施の形態では、例えば、国際規格「IEEE802.11n」を適用している。超音波探触子２は、受信した反射超音波から電気信号である受信信号を取得し、この受信信号をＡ／Ｄ変換して所定の送信形式にデータ変換した後、超音波診断装置本体１に無線伝送する。
【００１９】
超音波診断装置本体１は、超音波探触子２から伝送されたデータに基づいて被検体内の内部状態を超音波診断画像として画像化し、表示部１０６に表示するものである。また、超音波診断装置本体１は、操作入力部１０７を備えており、操作入力部１０７の操作に応じた情報を超音波探触子２に無線伝送することができる。
【００２０】
超音波探触子２は、図２に示すように、例えば、昇圧回路２０２と、送信部２０３と、振動子２０４と、受信部２０５と、整相加算部２０６と、包絡線検波部２０７と、サンプリング部２０８と、送信データ生成部２０９と、無線送受信部２１０と、アンテナ２１１とを備えている。超音波探触子２は、複数（例えば、１９２個）の振動子２０４を備えるとともに、振動子２０４毎に対応して、昇圧回路２０２、送信部２０３及び受信部２０５がそれぞれ設けられている。
【００２１】
昇圧回路２０２は、図示しないバッテリ等の電源部から供給された電源電圧を、超音波探触子２を駆動可能な６０Ｖ〜１５０Ｖ程度まで昇圧し、送信部２０３に昇圧された電源を供給する。
【００２２】
送信部２０３は、振動子２０４に電気信号である駆動信号を供給して振動子２０４に送信超音波を発生させる回路である。振動子２０４は、圧電素子によって構成されており、例えば、方位方向（走査方向あるいは上下方向）に一次元アレイ状に配列されている。振動子２０４は、送信超音波を出力した後、反射超音波を受信すると受信信号を受信部２０５に出力する。なお、振動子は、二次元アレイ状に配列されたものであってもよい。また、振動子の個数は、複数個であれば任意に設定することができる。また、本実施の形態では、超音波探触子２について、リニア電子スキャンプローブを採用したが、電子走査方式あるいは機械走査方式の何れを採用してもよく、また、リニア走査方式、セクタ走査方式あるいはコンベックス走査方式の何れの方式を採用することもできる。
そして、送信部２０３は、例えば、送信ＢＦ（Beam Forming）制御回路を備えており、接続された振動子に対応した遅延時間を設定し、駆動信号の送信タイミングを、設定された遅延時間だけ遅延させる。これにより、各振動子２０４から出力される送信超音波の出力タイミングにずれが生じ、送信超音波によって構成される送信ビームが、所定のフォーカス点に向けて集束される。
【００２３】
受信部２０５は、増幅器２０５ａ及びＡＤＣ（Analog/Digital Converter）２０５ｂを備えて構成され、振動子２０４から出力された受信信号を受信して音線データを生成し、整相加算部２０６に出力する。
増幅器２０５ａは、予め設定された所定の増幅率で受信信号を増幅させるための回路である。ＡＤＣ２０５ｂは、増幅された受信信号を第１のサンプリング周波数にてＡ／Ｄ変換し、第１のサンプリングデータを生成するための回路である。ここで、整相加算部２０６にて行われる整相加算の精度を低下させないためには、第１のサンプリング周波数を、受信信号に含まれる周波数成分を考慮して十分高く設定することが好ましい。また、送信超音波の周波数が高い場合や、送信超音波の高調波成分を含む受信信号をサンプリングする場合等、受信信号がより高い周波数成分を含む場合、できるだけ忠実な超音波診断画像データを得るためには、第１のサンプリング周波数をより高くする必要があるが、第１のサンプリングデータのデータサイズはそれだけ大きくなるので、これらを考慮して第１のサンプリング周波数を設定するのが好ましい。本実施の形態では、送信周波数を４ＭＨｚに設定し、反射超音波から得られた受信信号に対し、６０ＭＨｚのサンプリング周波数を第１のサンプリング周波数としてサンプリングしている。このようにしてサンプリングされた、第１のサンプリングデータにおけるＡ／Ｄ変換後の１サンプルあたりのデータサイズは、例えば、１４bitである。
【００２４】
整相加算部２０６は、受信部２０５から出力された振動子２０４毎の第１のサンプリングデータに対して、振動子２０４毎に対応した個別経路毎に遅延時間を与えて時相を整え、これらを加算（整相加算）して音線データを得る。整相加算部２０６は、整相加算された音線データを包絡線検波部２０７に出力する。なお、整相加算部２０６によって出力される整相加算後の音線データの１サンプルあたりのデータサイズは、例えば、２２bitとなる。
【００２５】
包絡線検波部２０７は、整相加算部２０６より出力された整相加算後の音線データに対して全波整流を行い、包絡線データを得る。すなわち、包絡線検波部２０７は、整相加算後の音線データから包絡線の検波を行う。例えば、上述したように、送信周波数が４ＭＨｚである送信超音波に基づく反射超音波から得られた受信信号に対し、第１のサンプリング周波数として６０ＭＨｚにてサンプリングを行った場合、整相加算後の音線データは図３において破線Ａにて表される。そして、整相加算後の音線データに対して全波整流を行い、包絡線を抽出すると、図３において実線Ｂにて示される包絡線データが得られる。
【００２６】
サンプリング部２０８は、包絡線検波部２０７によって得られた包絡線データに対し、第２のサンプリング周波数でサンプリングを行って第２のサンプリングデータを得る。このとき、サンプリング後のデータサイズをより小さくする観点から、第２のサンプリング周波数を第１のサンプリング周波数よりも低い周波数にしてダウンサンプリングするのが好ましい。包絡線データは整相加算前の受信信号と比較して高周波成分を含んでおらず、また、整相加算の精度への影響を考慮する必要もないことから、データを劣化させることなくダウンサンプリングを行うことが可能である。このように、サンプリング部２０８は、包絡線データをダウンサンプリングすることにより、例えば、送信超音波の周波数が高い場合や、送信超音波の高調波成分を含む受信信号を用いる場合のように、第１のサンプリングデータのデータサイズが大きい場合であっても、超音波診断装置本体１に送信する送信データのサイズを十分に小さく抑えることができる。本実施の形態では、例えば、包絡線データのデータレートを１／８にダウンサンプリングする。なお、ダウンサンプリング後のデータレートは任意に設定することができる。サンプリング部２０８は、ダウンサンプリングされた包絡線データである第２のサンプリングデータを送信データ生成部２０９に送信する。
【００２７】
送信データ生成部２０９は、サンプリング部２０８から送信された第２のサンプリングデータを所定のデータ形式に変換して送信データを生成し、無線送受信部２１０に送信する。
【００２８】
無線送受信部２１０は、送信データ生成部２０９から送信された送信データに対して所定の変調処理を施し、アンテナ２１１を介して超音波診断装置本体１に無線伝送する。
【００２９】
本実施の形態では、以上のようにして超音波探触子２を構成し、サンプリング周波数が６０ＭＨｚで１サンプルあたり２２bitの整相加算後の音線データを超音波診断装置本体１に送信するようにしたので、２２×６０×１０６＝１３２０Mbpsのデータ転送レートにて超音波探触子２から超音波診断装置本体１に無線伝送することが可能になる。さらに、本実施の形態では、整相加算後の音線データから包絡線データを取得し、これを１／８にダウンサンプリングするようにしたので、１３２０Mbps／８＝１６５Mbpsのデータ転送レートにて超音波探触子２から超音波診断装置本体１に無線伝送することが可能になる。また、本実施の形態では、包絡線データを送信するようにしたので、例えば、超音波探触子で画像データを生成して送信するように構成すると、回路規模が増大するとともに消費電力が大きくなるが、このような問題が生じることがない。
【００３０】
超音波診断装置本体１は、図４に示すように、例えば、無線送受信部１０１と、アンテナ１０２と、画像生成部１０３と、メモリ部１０４と、ＤＳＣ（Digital Scan Converter）１０５と、表示部１０６と、操作入力部１０７と、制御部１０８とを備えて構成されている。
【００３１】
無線送受信部１０１は、超音波探触子２から無線伝送された送信データを、アンテナ１０２を介して受信して復調し、画像生成部１０３に復調した送信データを送信する。
【００３２】
画像生成部１０３は、受信した第２のサンプリングデータに基づいてＢモード画像データを生成する。Ｂモード画像データは、受信信号の強さを輝度によって表したものである。このようにして生成されたＢモード画像データは、メモリ部１０４に送信される。
【００３３】
メモリ部１０４は、例えば、ＤＲＡＭ（Dynamic Random Access Memory）などの半導体メモリによって構成されており、画像生成部１０３から送信されたＢモード画像データをフレーム単位で記憶する。すなわち、フレーム画像データとして記憶することができる。そして、記憶されたフレーム画像データは、制御部１０８の制御に従って、ＤＳＣ１０５に送信される。
【００３４】
ＤＳＣ１０５は、メモリ部１０４より受信したフレーム画像データをテレビジョン信号の走査方式による画像信号に変換し、表示部１０６に出力する。
【００３５】
表示部１０６は、ＬＣＤ（Liquid Crystal Display）、ＣＲＴ（Cathode-Ray Tube）ディスプレイ、有機ＥＬ（Electronic Luminescence）ディスプレイ及びプラズマディスプレイ等の表示装置である。なお、表示装置に代えてプリンタ等の印刷装置等を適用してもよい。表示部１０６は、ＤＳＣ１０５から出力された画像信号に従って表示画面上に画像の表示を行う。
【００３６】
操作入力部１０７は、例えば、診断開始を指示するコマンドや被検体の個人情報等のデータの入力などを行うための各種スイッチ、ボタン、トラックボール、マウス、キーボード等を備えており、操作信号を制御部１０８に出力する。
【００３７】
制御部１０８は、例えば、ＣＰＵ（Central Processing Unit）、ＲＯＭ（Read Only Memory）、ＲＡＭ（Random Access Memory）を備えて構成され、ＲＯＭに記憶されているシステムプログラム等の各種処理プログラムを読み出してＲＡＭに展開し、展開したプログラムに従って超音波診断装置Ｓの各部の動作を集中制御する。
ＲＯＭは、半導体等の不揮発メモリ等により構成され、超音波診断装置Ｓに対応するシステムプログラム及び該システムプログラム上で実行可能な各種処理プログラムや、各種データ等を記憶する。これらのプログラムは、コンピュータが読み取り可能なプログラムコードの形態で格納され、ＣＰＵは、当該プログラムコードに従った動作を逐次実行する。
ＲＡＭは、ＣＰＵにより実行される各種プログラム及びこれらプログラムに係るデータを一時的に記憶するワークエリアを形成する。
【００３８】
（第２の実施の形態）
次に、本発明の第２の実施の形態について、図５を参照しながら説明する。
本発明の第２の実施の形態における超音波診断装置Ｓは、図５に示すように、超音波探触子２にオーバーサンプリング回路２１２が追加された点で第１の実施の形態における超音波診断装置Ｓと相異している。以下の説明において、第１の実施の形態と同一の構成については、同一の符号を付し、説明を省略する。
【００３９】
本実施の形態では、整相加算部２０６における整相加算処理の精度を向上させるため、オーバーサンプリング回路２１２により、ＡＤＣ２０５ｃのデータレートをデジタル処理で向上させるようにしている。すなわち、オーバーサンプリング回路２１２は、振動子２０４毎に対応して設けられており、ＡＤＣ２０５ｂで生成された第１のサンプリングデータを、上述した第１のサンプリング周波数よりも高い第３のサンプリング周波数でサンプリングすることによりｎ倍（ｎは０以外の整数）にオーバーサンプリングして、第３のサンプリングデータを生成する。オーバーサンプリングの方法は、例えば、第３のサンプリング周波数となるように第１のサンプリングデータに対してゼロデータを挿入し、ＬＰＦ（Low-Pass Filter）処理を行う。オーバーサンプリング回路２１２は、生成した第３のサンプリングデータを整相加算部２０６に送信する。なお、オーバーサンプリングする倍数は任意に設定することができるが、第３のサンプリング周波数を第１のサンプリング周波数の１倍に設定した場合は、第１の実施の形態と等価の動作が行われることとなる。
【００４０】
整相加算部２０６は、オーバーサンプリング回路２１２から送信された第３のサンプリングデータを上述した要領にて整相加算し、整相加算された音線データを包絡線検波部２０７に出力する。包絡線検波部２０７は、整相加算部２０６より出力された整相加算後の音線データに対して全波整流を行い、包絡線データを得る。サンプリング部２０８は、包絡線検波部２０７によって得られた包絡線データに対し、第２のサンプリング周波数でサンプリングを行って第２のサンプリングデータを得る。このとき、サンプリング後のデータサイズをより小さくする観点から、第２のサンプリング周波数を第３のサンプリング周波数よりも低い周波数にしてダウンサンプリングするのが好ましい。
【００４１】
このように、整相加算処理の精度向上のためにオーバーサンプリング回路２１２を設けた場合であっても、超音波診断装置本体１に送信する送信データのサイズを十分小さく抑えることができる。
【００４２】
以上説明したように、本発明の第１及び第２の実施の形態によれば、複数の振動子２０４はそれぞれ、駆動信号によって被検体に向けて送信超音波を出力するとともに、被検体からの反射超音波を受信することにより受信信号を出力する。そして、受信部２０５は、複数の振動子２０４毎に得られた受信信号からそれぞれ第１のサンプリング周波数でサンプリングして第１のサンプリングデータを生成する。そして、整相加算部２０６は、受信部２０５によって得られた第１のサンプリングデータを整相加算して音線データを得る。そして、包絡線検波部２０７は、整相加算部２０６によって得られた音線データから包絡線を検波する。そして、サンプリング部２０８は、包絡線検波部２０７によって検波された包絡線から第２のサンプリング周波数でサンプリングして第２のサンプリングデータを得る。そして、無線送受信部２１０は、サンプリング部２０８によって得られた第２のサンプリングデータを送信する。そして、超音波診断装置本体１は、送信された第２のサンプリングデータを受信し、受信した第２のサンプリングデータに基づいて超音波診断画像を表示するための画像データを生成する。その結果、複数の振動子のそれぞれに対応する音線データを整相加算して装置本体に送信するので、装置本体に送信するデータの大きさを小さくすることができ、データ転送レートを低減させることができる。また、整相加算を行うための回路構成が振動子の数に影響されにくくなるので、振動子の数の増加による超音波探触子の大型化が抑制され、超音波探触子の操作性を維持しつつ、超音波診断画像の振動子の増加による高解像度化を図ることが可能となる。また、装置本体に送信するデータの大きさが振動子の数に影響されにくくなるので、データ転送レートの増加を抑制して高解像度化を図ることが可能となる。また、包絡線データを装置本体に送信するので、データの加工が容易であり、汎用性の高い超音波探触子とすることができる。
【００４３】
また、本発明の第１及び第２の実施の形態によれば、第２のサンプリング周波数を第１のサンプリング周波数よりも低い周波数としたので、超音波探触子から超音波診断装置本体に送信するデータ量をさらに削減することができるので、データ転送レートをさらに低減させることができる。
【００４４】
また、本発明の第２の実施の形態によれば、オーバーサンプリング回路２１２は、受信部２０５によって得られた第１のサンプリングデータを第１のサンプリング周波数よりも高い第３のサンプリング周波数でオーバーサンプリングした第３のサンプリングデータを生成する。そして、整相加算部２０６は、オーバーサンプリング回路２１２によって得られた第３のサンプリングデータを整相加算して音線データを得る。その結果、整相加算処理の精度を向上させることができる。
【００４５】
また、本発明の第２の実施の形態によれば、第２のサンプリング周波数を第３のサンプリング周波数よりも低い周波数としたので、超音波探触子から超音波診断装置本体に送信するデータ量をさらに削減することができるので、データ転送レートをさらに低減させることができる。
【００４６】
また、本発明の第１及び第２の実施の形態によれば、無線送受信部２１０は、無線伝送により第２のサンプリングデータを送信するので、ケーブル等による煩わしさが減少され、操作性の向上を図ることができる。
【００４７】
なお、本発明の実施の形態における記述は、本発明に係る超音波診断装置の一例であり、これに限定されるものではない。超音波診断装置を構成する各機能部の細部構成及び細部動作に関しても適宜変更可能である。
【００４８】
また、本発明の実施の形態では、無線伝送により超音波探触子２から超音波診断装置本体１にデータの送信を行ったが、有線によってデータの送信を行う構成であってもよく、例えば、シリアル伝送によってデータを送信するものに適用すると好適である。
【符号の説明】
【００４９】
Ｓ  超音波診断装置
１  超音波診断装置本体
２  超音波探触子
２０４  振動子
２０５  受信部
２０５ｂ  ＡＤＣ
２０６  整相加算部
２０７  包絡線検波部
２０８  サンプリング部
２１０  無線送受信部
２１２  オーバーサンプリング回路
【図１】
0005659804.tif 000002
【図２】
0005659804.tif 000003
【図４】
0005659804.tif 000004
【図５】
0005659804.tif 000005
【図６】
0005659804.tif 000006
【図３】
0005659804.tif 000007